(57)【特許請求の範囲】
【請求項１】
筺体の底部に設けた孔に筒部と閉塞部とからなるグロメットを取り付け、このグロメットの閉塞部に設けたケーブル導出口からケーブルを導出する屋外設置用機器の防水構造において、
前記筺体の底部に、前記グロメットを囲み前記筺体の底部から前記閉塞部までの距離よりも底部からの突出高さが大きく形成された囲い壁を一体に設けたことを特徴とする屋外設置用機器の防水構造。
【請求項２】
前記グロメットの筒部に、前記グロメットの閉塞部を囲む囲い壁を一体に設けたことを特徴とする請求項１記載の屋外設置用機器の防水構造。
【発明の詳細な説明】
【技術分野】
【０００１】
本発明は、比較的長期間にわたって屋外に無人状態で設置される屋外設置用機器の防水構造に関するものである。
【背景技術】
【０００２】
従来の屋外設置用機器の防水構造では、雨水が筺体内に侵入しないように、筺体を形成するアッパーケースとロアーケースとの接合面にシール材を介在させて筺体を気密状態としたり、ケーブルを外部に導出するためのケーブル導出口を筺体の底部に設けたりすることによって、雨水の影響を極力回避する構造が採られている。このうち、ケーブル導出口を防水する構造としては、ケーブルを貫通させる円筒状に形成したケーブル保持部と、このケーブル保持部の一方の開口を閉塞する破断可能な閉塞部とからなるグロメットをケーブル導出口に取り付け、ケーブルを導出させる必要があるときは、閉塞部を破断してここからケーブルを外部に導出するようにしたものがある（例えば、特許文献１参照）。
【特許文献１】特開２００５−１１０４２７号公報（段落「０００２」、図７）
【発明の開示】
【発明が解決しようとする課題】
【０００３】
上述した従来の屋外設置用機器の防水構造においては、雨水に対する防水については一定の効果が得られているが、筺体の底部が水に漬かったり、筺体自体が水没したりした場合は充分な防水効果が得られていない。すなわち、屋外設置用機器は筺体が水に漬からないように、底部を地面から充分に離間した状態で建物の壁面や電柱等に取り付けることが望ましい。しかしながら、建物の構造による屋外設置用機器の取付位置の制約や、屋外設置用機器が無線を使用する通信機器の場合、電波障害を回避するめに地面に近接した状態で設置しなければならないことがある。この場合は、筺体の底部が水に漬かったり筺体自体が水没したりするおそれがある。筺体の底部が長時間にわたって水に漬かった状態になると、毛細管現象によってケーブルとケーブル保持部との間のわずかな隙間を通って筺体内に水が浸入するという問題があった。
【０００４】
本発明は上記した従来の問題に鑑みなされたものであり、その目的とするところは、筺体が水に漬かったり水没したりしても筺体内への水の浸入を阻止する屋外設置用機器の防水構造を提供するところにある。
【課題を解決するための手段】
【０００５】
この目的を達成するために、請求項１に係る発明は、筺体の底部に設けた孔に筒部と閉塞部とからなるグロメットを取り付け、このグロメットの閉塞部に設けたケーブル導出口からケーブルを導出する屋外設置用機器の防水構造において、前記筺体の底部に、前記グロメットを囲み前記筺体の底部から前記閉塞部までの距離よりも底部からの突出高さが大きく形成された囲い壁を一体に設けたものである。
【０００６】
請求項２に係る発明は、請求項１に係る発明において、前記グロメットの筒部に、前記グロメットの閉塞部を囲む囲い壁を一体に設けたものである。
【発明の効果】
【０００７】
請求項１または２に係る発明によれば、仮に筺体の底部が水に漬かったり、筺体自体が水没したりして、長時間にわたって筺体の底部が水に漬かったとしても、囲い壁内の空間が気密状態にある筺体に連通され囲い壁の開口部が水によって同時に閉塞されるため、囲い壁内が気密状態となり囲い壁内が筺体内と同じ大気圧に維持される。したがって、囲い壁内に浸入しようとする水によって囲い壁内に空気が閉じこめられた状態となり、この空気によって囲い壁内への水の浸入が阻止される。このため、ケーブルが導出されるグロメットの閉塞部が直接水に漬かるようなことがないから、ケーブルとケーブル導出口との間のわずかな隙間を通って筺体内に水が浸入するようなことがない。
【発明を実施するための最良の形態】
【０００９】
以下、本発明の実施の形態を図に基づいて説明する。図１は本発明に係る屋外設置用機器の底面図、図２は図１におけるII-II 線断面図、図３は同じく正面図である。これらの図において、全体を符号１で示すものは箱状で気密構造に形成された屋外設置用機器の筺体であって、底部２に孔３が設けられており、この孔３の周縁には一部の断面が逆Ｌ字状で全体が環状に形成された支持片４が一体に突設されている。
【００１０】
５は全体がゴムによって形成されたグロメットであって、円筒状に形成された筒部６と、この筒部６の一方の開口を閉塞するように薄肉状で一体に形成された閉塞部７とを備えている。閉塞部７の中央部にはケーブル９を筺体１の外部に導出するために、ケーブル９の外径よりもわずかに小さい径によって形成されたケーブル導出口８が設けられており、筒部６の他方の開口の周縁には鍔１０が一体に設けられている。
【００１１】
グロメット５は、筒部６を筺体１の孔３に嵌合させた状態で、鍔１０を弾性変形させながら支持片４に係入させることにより、筒部６が筺体１の外部に突出するようにして筺体１の底部２に取り付けられる。１１は筺体１の底部２の孔３の周囲に、一体に立設された円筒状に形成された囲い壁である。この囲い壁１１は、筺体１の底部２の孔３に取り付けられたグロメット５の筒部６を囲むように形成されており、底部２から閉塞部７までの距離Ｌよりも、底部２からの突出量Ｔが大きくなるように形成されている。
【００１２】
このような構成において、図３に示すように底部２を地面１３に対向させるように地面１３から離間させた状態で、筺体１を建物の壁面等に取り付けて設置する。この状態で、地面１３上に滞留した水１４が囲い壁１１の開口部１１ａの高さまでに達した場合、囲い壁１１の開口１１ａが下方を指向し、かつ開口１１ａの開口端面が鉛直方向と直交する方向に延在しているため、囲い壁１１の開口部１１ａの全面が略同時に水１４によって閉塞される。
【００１３】
このとき、囲い壁１１内の空間１２がグロメット５内の空間５ａを介して大気圧をもって気密構造を有する筺体１内の空間１ａと連通していることにより、囲い壁１１の開口部１１ａの全面を閉塞した水１４によって空間１２も気密状態となる。このため、空間１２内は大気圧の状態が維持されるから、囲い壁１１内に浸入しようとする水によって、囲い壁１１内に空気が閉じ込められた状態になる。したがって、底部２が水１４に漬かったり、筺体１自体が水没したりして、底部２が長時間にわたって水１４に漬かったとしても、この閉じこめられた空気によって囲い壁１１内に水が浸入するようなことがない。このため、グロメット５の閉塞部７が直接水に漬かるようなことがないから、ケーブル導出口８とケーブル９との間から筺体内に水が浸入することがない。
【００１４】
図４は本発明の参考例の実施の形態を示す要部の断面図である。この参考例の実施の形態が上述した実施の形態と異なる点は、筺体１の底部２には囲い壁１１を設けることなく、グロメット５に囲い壁１５を設けた点にある。すなわち、グロメット５の筒部６の閉塞部７側が延設され、閉塞部７を囲む円筒状に形成された囲い壁１５が筒部６に一体に設けられている。この囲い壁１５の底部２からの高さＴは、底部２から閉塞部７までの距離Ｌよりも大きく形成されている。
【００１５】
このような構成において、上述した実施の形態と同様に、底部２を地面に対向させるように地面から離間させた状態で、筺体１を建物の壁面等に取り付けて設置する。この状態で、地面に滞留した水が囲い壁１５の開口部１５ａの高さまで達した場合、囲い壁１５の開口１５ａが下方を指向し、かつ開口１５ａの開口端面が鉛直方向と直交する方向に延在しているため、囲い壁１５の開口部１５ａの全面が略同時に水によって閉塞される。
【００１６】
このとき、囲い壁１５内の空間１６がグロメット５内の空間５ａを介して大気圧をもって気密構造を有する筺体１内の空間１ａと連通していることにより、囲い壁１５の開口部１５ａの全面を閉塞した水１４によって空間１６も気密状態となる。このため、空間１６内は大気圧の状態が維持されるから、囲い壁１５内に浸入しようとする水によって、囲い壁１５内に空気が閉じ込められた状態になる。したがって、底部２が水に漬かったり、筺体１自体が水没したりして、底部２が長時間にわたって水に漬かったとしても、この閉じこめられた空気によって囲い壁１５内に水が浸入するようなことがない。このため、グロメット５の閉塞部７が直接水に漬かるようなことがないから、ケーブル導出口８とケーブル９との間から筺体内に水が浸入することがない。
【００１７】
また、グロメット５に囲い壁１５を設けたことにより、筺体１側に囲い壁を設ける必要がなくなるため、防水構造を必要としない筺体を共通に使用することができるから筺体の汎用性が向上する。
【００１８】
なお、本発明の実施の形態においては、囲い壁１１，１５を筺体１の底部２とグロメット５の筒部６とに同時に設けるようにしてもよい。
【図面の簡単な説明】
【００１９】
【図１】本発明に係る屋外設置用機器の底面図である。
【図２】図１におけるII-II 線断面図である。
【図３】本発明に係る屋外設置用機器の一部を示す正面図である。
【図４】本発明の参考例の実施の形態を示す要部の断面図である。
【符号の説明】
【００２０】
１…筺体、２…底部、３…孔、５…グロメット、６…筒部、７…閉塞部、８…ケーブル導出口、９…ケーブル、１１，１５…囲い壁、１３…地面、１４…水。
【図１】
0004544134.tif 000002
【図２】
0004544134.tif 000003
【図３】
0004544134.tif 000004
【図４】
0004544134.tif 000005